(57)【要約】  施錠システムは、出入口の縦枠内の凹部の中に埋め込むことができるロックケースを備える。出入口の外側に装着されたバーンドアは、ロックケース内のロック機構の作動によって閉鎖位置において施錠することができる。ハンドルはロックケースと相互作用して、ボルトをバーンドアにおいてロックケースの外であって受座の中に平行移動させる。受座は好ましくはバーンドアを全体的に貫通し、受座は非常時アクセスのために、ボルトを押し戻してロックを破るための鍵によりアクセスすることができる外側進入口を備える。最適な性能のために異なる種類のカバープレートおよびハンドルを設けることができる。ロックケース内のロック機構は、ハンドルの作動を、バーンドアを施錠するための後退向きと展開向きとの間でのボルトの平行移動に変換する。【選択図】図１
2019533107.tif 000002
【特許請求の範囲】
【請求項１】
バーンドアのためのロックであって、
細長いボルトを前記ボルトの後退位置および展開位置の両方において摺動可能に支持するロックケースであって、前記ロックケースは出入口開口部の縦枠に取り付け可能である、ロックケースと、
前記ロックケースに結合され、ハンドルの運動時に前記ボルトを前記後退位置と前記展開位置との間で平行移動させるハンドルと、
を組み合わせて備える、ロック。
【請求項２】
前記ハンドルは前記ロックケースに対して回転可能に支持されており、前記ロックケースは前記ハンドルの回転をボルトの平行移動に変換する、請求項１に記載のロック。
【請求項３】
前記ハンドルは前記ロックケースの中に伸長するシャフトを備え、前記シャフトは前記ハンドルの使用者係合部に結合されており、前記使用者係合部が回転されるときに前記シャフトは回転する、請求項２に記載のロック。
【請求項４】
前記シャフトはその少なくとも一部に切子面を有し、前記シャフトの切子面は、前記ハンドルの前記シャフトが回転されるときに前記ロックケースと係合して、前記ロックケースの少なくとも一部を移動させる、請求項３に記載のロック。
【請求項５】
前記ロックケースはその中に前記シャフトが伸長するハブを備え、前記ハブは前記シャフトが回転されるときに回転し、前記シャフトは、前記シャフトの中心回転軸から離れるように側方に伸長し、かつ前記ボルトに少なくとも間接的に係合して、前記ハブが前記シャフトの回転によって回転されるときにボルトの平行移動を引き起こす指部を含む、請求項３に記載のロック。
【請求項６】
前記ハブはその周囲にカム表面を含み、板バネは前記ロックケース内に位置し、かつ前記カムの隆起面が前記板バネにより近い位置まで回転されるときに前記カムに当接し、前記カム表面は、前記ハブおよび前記指部を前記細長いボルトの前記後退位置または前記細長いボルトの前記展開位置のいずれかまで付勢させるように輪郭形成されている、請求項５に記載のロック。
【請求項７】
前記シャフトは、前記ハンドルが回転するときにそれを回転させるそこに結合された平歯車を備え、前記平歯車は前記ボルトに結合されたラックギヤに隣接して位置しており、前記平歯車は前記ラックギヤと相互作用して、前記平歯車が、前記ハンドルの前記シャフトによって回転されるときに、前記ラックギヤおよび前記ボルトの平行移動を引き起こす、請求項３に記載のロック。
【請求項８】
前記ハンドルは前記ロックケースから離れるように延在する外側ハブを含み、かつ細長いレバーが前記ハブから前記ハブと前記ロックケースとの間の線に対して横方向に延在しており、前記レバーは、前記ハンドルの前記ハブを回転させ、かつ前記ロックケースに対するボルトの平行移動を引き起こすための使用者係合可能部分を提供する、請求項２に記載のロック。
【請求項９】
カバープレートが前記ロックケースに固定されており、前記カバープレートはそこを貫通する穴を含み、その穴を通って前記ハンドルのシャフトが伸長した後に、前記シャフトは前記ロックケースの中に伸長し、かつシャフトの回転は前記ロックケースに対するボルトの平行移動を引き起こし、前記ハンドルは前記カバープレートの凹部の中に少なくとも部分的に埋め込まれた使用者係合部を含む、請求項２に記載のロック。
【請求項１０】
受座は、前記ボルトが前記展開位置にあるときに前記ボルトが進入する凹部を画定し、前記受座は、前記バーンドアが閉鎖されているときに、前記出入口開口部の前記縦枠に隣接する前記バーンドア内に位置決め可能である、請求項１に記載のロック。
【請求項１１】
前記受座は、前記バーンドアを貫通するのに十分なほどに長く、そこまで位置決めすることができ、前記受座は、前記ロックケースから最も離れた前記受座の側面に外側進入口を有し、前記ボルトは、前記受座の前記外側進入口からの前記ボルトの遠位先端に対する軸方向の直線力によって前記展開位置から前記後退位置に平行移動可能であり、
前記受座は、内側進入口から前記外側進入口まで通っている貫通ボアを有する少なくとも１つのスリーブを含み、前記スリーブは、前記ボルトがその展開位置まで平行移動されるときに前記ボルトをその中まで通すことができるほどに十分に大きくサイズ決めされている、請求項１０に記載のロック。
【請求項１２】
細長い形態を有する鍵は、前記受座の前記外側進入口の中に嵌合し、かつ非常時アクセスなどのために前記受座の中に十分に遠くまで伸長して前記ボルトを前記受座の外に押し出すようにサイズ決めおよび成形されている、請求項１１に記載のロック。
【請求項１３】
バーンドアおよびプライバシーロックシステムを有する出入口であって、
壁の中の出入口であって、前記出入口は一対の縦枠の間に位置し、前記縦枠は前記出入口を横切って互いに面する面を含む出入口と、
前記壁に隣接して摺動可能に支持されているバーンドアであって、前記バーンドアは、出入口を少なくとも部分的に封鎖する閉鎖位置および前記出入口を前記閉鎖位置よりも少なく封鎖されたままにする開放位置を有する、バーンドアと、
細長いボルトを後退位置および展開位置の両方において摺動可能に支持するロックケースであって、前記ロックケースは前記出入口の前記縦枠の１つに取り付けられている、ロックケースと、
前記ロックケースに結合され、ハンドルの運動時に前記ボルトを前記後退位置と前記展開位置との間で平行移動させるハンドルと、
前記ボルトが前記展開位置に移動されるときに、前記ボルトが進入する前記バーンドア内の凹部によって画定された受座であって、前記受座は、前記バーンドアが前記閉鎖位置にあるときに、前記出入口の前記縦枠に隣接する前記バーンドア内に位置決めされる、受座と、
を組み合わせて備える、出入口。
【請求項１４】
前記ハンドルは前記ロックケースに対して回転可能に支持されており、前記ロックケースは前記ハンドルの回転をボルトの平行移動に変換する、請求項１３に記載のシステム。
【請求項１５】
前記ハンドルは前記ロックケースの中に伸長するシャフトを備え、前記シャフトは前記ハンドルの使用者係合部に結合されており、前記使用者係合部が回転されるときにに前記シャフトは回転し、
前記ロックケースはその中に前記シャフトが伸長するハブを備え、前記シャフトが回転されるときに前記ハブは回転し、前記シャフトは、前記シャフトの中心回転軸から離れるように側方に伸長し、かつ前記ボルトに少なくとも間接的に係合して、前記ハブが前記シャフトの回転によって回転されるときにボルトの平行移動を引き起こす指部を含み、
前記ハブはその周囲にカム表面を含み、板バネは前記ロックケース内に位置し、かつ前記カムの隆起面が前記板バネにより近い位置まで回転されるときに前記カムに当接し、前記カム表面は、前記ハブおよび前記指部を前記細長いボルトの前記後退位置または前記細長いボルトの前記展開位置のいずれかまで付勢させるように輪郭形成されている、請求項１４に記載のシステム。
【請求項１６】
前記受座は前記バーンドアを貫通するのに十分なほどに長く、そこまで位置決めすることができ、前記受座は、前記ロックケースから最も離れた前記受座の側面に外側進入口を有し、前記ボルトは、前記受座の前記外側進入口からの前記ボルトの遠位先端に対する軸方向の直線力によって前記展開位置から前記後退位置に平行移動可能である、請求項１３に記載のシステム。
【請求項１７】
前記受座は内側進入口から前記外側進入口まで通っている貫通ボアを有する少なくとも１つのスリーブを含み、前記スリーブは、前記ボルトがその展開位置まで平行移動されるときに、前記ボルトをその中まで通すことができるほどに十分に大きくサイズ決めされている、請求項１６に記載のシステム。
【請求項１８】
壁の中の出入口を少なくとも部分的に封鎖する閉鎖位置においてバーンドアを施錠するための方法であって、前記方法は、
ロックを前記出入口開口部に隣接する縦枠の中に配置する工程であって、前記ロックは細長いボルトを前記ボルトの後退位置および展開位置の両方において摺動可能に支持するロックケースを備え、前記ロックケースは出入口開口部の縦枠に取り付け可能である工程と、
前記ロックケースに結合されたハンドルを作動させて、ハンドルの運動時に前記後退位置と前記展開位置との間での前記ボルトの平行移動を引き起こす工程と、
前記バーンドアの中に凹部を画定する受座を、前記バーンドアが前記閉鎖位置にあるときに、前記ロックが位置しているところで前記縦枠と位置合わせされている前記バーンドア上の位置に位置決めする工程と、
前記ハンドルを作動させて前記ボルトを前記後退位置から前記ボルトを少なくとも部分的に前記受座の中に延在させる前記展開位置に平行移動させる工程と、
を含む、方法。
【請求項１９】
前記位置決めする工程は、
前記バーンドアを全体的に貫通する前記受座と、
前記受座の外側進入口から前記ボルトを押して前記ボルトを前記展開位置から離れるように前記受座の外に押し出すことによって前記ボルトを前記受座から取り外す工程と、
を含む、請求項１８に記載の方法。
【請求項２０】
前記作動させる工程は、前記ロックケースに対して回転可能に支持されている前記ハンドルを含み、前記ロックケースは前記ハンドルの回転をボルトの平行移動に変換し、前記ハンドルは前記ロックケースの中に伸長するシャフトを備え、前記シャフトは前記ハンドルの使用者係合部に結合されており、前記使用者係合部が回転されるときに前記シャフトは回転し、前記ロックケースはその中に前記シャフトが伸長するハブを備え、前記シャフトが回転されるときに前記ハブは回転し、前記ハブは、前記シャフトの回転によって前記ハブが回転されるときに、前記シャフトの中心回転軸から離れるように側方に伸長して少なくとも間接的に前記ボルトと係合してボルトの平行移動を引き起こす指部を備え、前記ハブはその周囲にカム表面を含み、板バネは前記ロックケース内に位置し、かつ前記カムの隆起面が前記板バネにより近い位置まで回転されたときに前記カムに当接し、前記カム表面は前記ハブおよび前記指部を前記細長いボルトの前記後退位置または前記細長いボルトの前記展開位置のいずれかに付勢させるように輪郭形成されている、請求項１８に記載の方法。
【発明の詳細な説明】
【技術分野】
【０００１】
以下の発明は、バーンドアおよびバーンドアのためのロックに関する。より詳細には、本発明は、バーンドアのためのプライバシーロックに関し、最も詳細には、それによりプライバシーロックを提供するための建物内部の中で利用されるそうした種類のバーンドアに関する。
【背景技術】
【０００２】
多くのスタイルのドアのうち、１種類のドアが「バーンドア」と呼ばれる。バーンドアは、上枠の下の一対の対向する縦枠を含む枠によって取り囲まれた出入口開口部のすぐ外側（または内側）に設けられる。バーンドアは、そのドアがトラックまたは他の摺動支持体から懸垂された状態で、典型的には開口部の上にある摺動トラックまたは他の支持体に支えられて装着される。このトラックはドア開口部の上にあり、ドア開口部の側面にもある。バーンドアは、開放位置（ドア開口部の側面に対して側方に離間されているトラック部分からバーンドアが懸垂されている）と閉鎖位置（ドア開口部の真上に位置しているトラックからドアが懸垂されている）との間でトラック上を摺動する。バーンドアは、回動式ドアのために空間が利用可能でないときに、かつ、ドアが位置している壁が薄すぎてポケットドアを収容することができないか、またはそうでなければポケットドアが望ましくない場合に特に有用である。バーンドアは、バーンドアが全スタイルのドアの中でもかなり単純なものであるという点で、審美的理由または経済的理由のために選択することもできる。
【０００３】
そのようなバーンドアに関する１つの問題は、それらが典型的にはそれらに付随するロックを備えていないことである。多くの出入口は、完全なセキュリティのためではないとしても、少なくともプライバシーのために施錠可能であるドアを有することによって恩恵を受ける。従って、バーンドアの施錠を容易にするためのロックセットが必要とされている。そのようなロックは、有利には外側からロックを破るためのいくつかの形態の非常時進入鍵を備えるべきである。
【０００４】
プライバシーロックは、回転してボルトを係合／係脱状態まで平行移動させてドアを施錠／開錠するハンドルまたはノブを備える回動式ドアおよびポケットドアのために知られている。但し、そのような公知のロックは、出入口の縦枠に係合するかそこから係脱するボルトと共にドアに装着されるハンドル／ノブを有する。バーンドアの場合、そのような公知の先行技術のロックは、ドアが壁の平面と同一平面上に位置合わせされておらず、それどころか壁の平面から位置ずれしているという理由により有効でない。そのため、バーンドアにプライバシーロックを設けるという問題に対していくつかの他の解決法が必要とされている。
【発明の概要】
【０００５】
本発明により、ドアが開放位置にあるときに出入口の縦枠の面、典型的にはバーンドアの前縁（バーンドアが閉じているときに先頭になる縁）に隣接する出入口の側面に装着可能なロックセットの形態のバーンドアのためのロックであって、ドアの縦枠の一方のいずれかの対向面の上にあってもよいロックが提供される。バーンドアは好ましくは摺動（または回転）レールに支えられて上から懸垂されているが、好ましくは、いくつかの形態の案内路（トラック要素など）も備え、これは開放位置と閉鎖位置との間で摺動する間にバーンドアの下縁を実質的に垂直面の中に維持するために床に設けられる。バーンドアの位置合わせのためのそのようなトラックは、バーンドアが懸垂されているレールの真下および出入口を取り囲む枠の側面の一方または両方に設けることができる。
【０００６】
バーンドアは、バーンドアが施錠されているときにロックセットのボルトを受け入れる受座をその中に含むように修正されている。受座は好ましくは中空の中心コアを有する円筒形状を有する。一実施形態では、受座は共通の中心軸において互いに入れ子になる内側および外側円筒状部材の組み合わせにより設けることができ、それぞれがその外端に面取りした頭部を含み、かつそれらの部材がバーンドアにしっかりと結合するまでそれらの部材をバーンドアの両側から互いに同軸上に引き合わせて一方を他方の中に螺合させることができるように一方の部材が他方の部材の中に螺合する。バーンドアは、受座のこれらの内側および外側部材を受け入れるそこを貫通して開けられた穴を最初に有する。
【０００７】
代替法として、バーンドアは単に、バーンドアを施錠または開錠するためにボルトを選択的に挿入または取り出し可能にする戦略的位置に、その中に開けられた（またはそれ以外の方法で形成された）穴を有していてもよい。受座の中空のコアは完全に円筒状にすることができたり、出入口を構成する通路に面するその側面に少なくとも隣接する場所で先細りにすることができたり、あるいはそうでなければ、ロックセットと受座との完全でない位置合わせであってもバーンドアの施錠のためにボルトの受座の中への受け入れをなお容易にするように、僅かに大きめにサイズ決めしたりすることができる。
【０００８】
本発明の一実施形態のロックセットは一般に、受座に加えてロックケースおよびハンドリングアセンブリを含む２つの主要部を備える。ロックケースは、シャフトからの入力およびボルトへの出力を受け取るロック機構を収容する本体を備え、バーンドアが閉鎖されているときにバーンドアが位置して受座と位置合わせされるところに隣接する壁通路の片側にある縦枠の面内の凹部の中に装着される。ロックセットの第２の部分は、凹部に隣接する縦枠の面であって、出入口の通路の中に面する縦枠の面に装着されるハンドリングアセンブリの形態である。このハンドリングアセンブリはトリムとして機能するだけでなく、それを介してロックケースを作動させることができるハンドルの支持も行う。特にロックケースは、ハンドリングアセンブリのハンドルに結合されているシャフトを受け入れる本体を備える。ハンドルが回転されるときに、シャフトもその長軸の周りで回転して本体の中の施錠機構内への入力をもたらし、これによりロックセットのボルトを受座の内外に直線的に平行移動させてバーンドアを施錠または開錠する。
【０００９】
縦枠は全体的に中空であるか、ロックケースをその中に位置決めするのを可能にするためにその内部の中に十分な凹部を少なくとも含む。一実施形態では、この凹部は円筒状の穴の形態であり、この穴がバーンドア内の受座の高さに一致する地面より上の高さに位置した状態で縦枠の面の中に延在している。この穴は、それが縦枠の外部側面の外にも延在し、かつロックケースの本体全体および他の部分がこの穴に適合することができ、かつボルトが縦枠の外部側面の外に延在することができるほどに十分に大きい。円筒状の穴は、縦枠の面を通る開口部ではハンドリングアセンブリの一部によって覆われており、縦枠の外部側面ではボルトが本体から突出する場所に隣接する本体を取り囲む環状フレアを有するリムによって覆われており、このフレアは縦枠の外面で終端している。
【００１０】
縦枠の内側に面している面にある穴の一部はその中にハンドリングアセンブリを受け入れ、ハンドリングアセンブリはロックケースに適当に結合されており、ロックケースは典型的には縦枠の外部側面にある穴の一部から挿入されて共通の凹部にアクセスするため、ロックケースおよびハンドリングアセンブリは、互いに取り付けられているときに、凹部内で互いを確実に保持する。好ましくはハンドリングアセンブリを（ひいてはロックケースも）枠に直接固定するために枠ネジも利用される。
【００１１】
ロックケースおよび本体内の施錠機構の詳細は、そのような施錠機構がデッドボルトなどのボルトを標準的な回動式ドアの縁部からドアの縦枠上にある受座の内外に平行移動させるために設けられるロックケース技術から理解することができる。先行技術において公知であるか今後発見される他の形態のロックケース施錠機構を代わりに利用することができる。ボルトは好ましくは丸い断面であって約１センチメートルの直径であるが、例えば公知のデッドボルトの断面に一致させるために、より大きく（またはより小さく）、かつ非円形にすることができる。
【００１２】
ロックケースのためのそのような施錠機構の一例としては、ハンドルに結合されたシャフトは、ボルトに結合されたラックギヤと相互作用する平歯車をその上に有することができるため、シャフトが回転されるときに、それがラックギヤを平行移動させる。平歯車のサイズおよびラックギヤ上の歯のサイズは、所望の設計に一致させるためにシャフトがボルトの平行移動に変換される割合を制御するように選択することができる。より複雑な機構では、比較的少量のハンドルの回転（すなわち９０°の回転）により例えばボルトを約２センチメートル以上平行移動させるためにマルチギアドライブトレインをシャフトとポストとの間に挿入することができ、それにより確実な施錠動作を達成することができる。ボルトはトランクに螺合される先端を有することができ、どちらも同様の直径を有し、かつその先端はトランク内のネジ山のあるボアの中に同心円状に螺合されるため、その先端をトランクに対して回転させることによって、ボルトを伸長させてその長さを微調整することができ、それによりボルトの長さが最適化される。
【００１３】
本発明の好ましい形態では、ロックセット全体と共に鍵も設けられている。この好ましい実施形態では、受座は好ましくは全体的にバーンドアを貫通しているため、鍵をバーンドアの外側から受座の中に配置してポストを本体の中に押し戻すことができ、それによりバーンドアの外部からの非常時アクセスを達成することができる。受座の外部にある穴は、所望であれば対応する形状の鍵のみを受け入れる独特な形状で成形することができる。別の代替法として、例えばさらなるセキュリティを得るために、受座は外部からアクセス不可能な目に見えない中空のコアを有することができる。
【００１４】
ハンドリングアセンブリは一般に、ベースプレート、カバープレートおよびハンドルを含む３つの部分を備える。ベースプレートはロックケースの本体に取り付けられ、カバープレートはベースプレートに取り付けられる。さらに、ベースプレートは好ましくは縦枠に直接留まる枠ネジを有するため、ベースプレートを縦枠に保持する枠ネジによりロックケース全体を縦枠に確実に保持することができ、かつベースプレートはロックケースに確実に取り付けられる。
【００１５】
ベースプレートのロックケースの本体への取り付けは、本体の取り付け穴の中（または本体に付随するスタンドオフの中）に螺合する２つの取り付けネジにより行う。ベースプレートは、中心穴がそこを貫通し、かつ床板の周囲縁がそこから垂直に延在するカラーを有し、かつフランジが環状の床板から離間されたカラーの一部から半径方向外側に延在した状態の環状の床板を含む輪郭を有する。このフランジおよび環状の床板は、好ましくはカラーの幅だけ互いから位置ずれされた平行な平面にある。
【００１６】
環状の床板の中心にある穴により、シャフトはそこを通り抜けて、ハンドルおよびロックケースの本体に結合することができる。床板の中にあり、かつ中心穴から離間されているより小さい穴（そこをシャフトが通り抜ける）は、環状表面を通り抜け、かつ次いで取り付け穴または本体に付随するスタンドオフの中まで通る取り付けネジを収容する（あるいは、それ以外の方法でベースプレートはロックケースの本体に固定されている）。
【００１７】
これらの取り付けネジの頭部は、これらの頭部がカラーの深さよりも低い高さを有し、好ましくはカラーの深さの半分超が空いたままの状態であって、取り付けネジの頭部がこのカラーの空間の中に目に見るほど延在している状態ではないという点で、ベースプレート内に埋め込まれている。枠ネジは好ましくはベースプレートのフランジを貫通した状態で設けられている。図示されている実施形態では、４つのそのような枠ネジが設けられており、それらはベースプレートのフランジを、縦枠内に凹部を形成し、かつ／またはそこにアクセスする円筒状の穴の周りで縦枠の面に直接固定する。枠ネジは好ましくは平坦な頭部を有し、フランジ内の穴は枠ネジの頭部の下側と同様に先細りになっているため、枠ネジの頭部は、締め付けられるときに、フランジ外面と実質的に同一平面上になる。あるいは、カバープレートの肩部（以下に説明されている）は枠ネジの頭部を収容するために凹状にすることができる。
【００１８】
カバープレートは、ベースプレートの外側部分に一致する輪郭を有し、カバープレートはベースプレートに取り付け可能である。特にカバープレートは、環状の床板と同様のサイズである円形の平坦な囲い板表面も含み、かつベースプレートの環状の床板と平行であるように方向づけられている。環がカバープレートの囲い板表面の周囲から垂直に延在しており、このカラーの外側部分はそこから半径方向に延在し、かつ囲い板表面と平行な平面にある肩部を有する。カバープレートの環はベースプレートのカラーよりも浅い深さを有するため、円形の平坦な囲い板表面がベースプレートのカラー内の凹部の中で入れ子になっているときに、取り付けネジの頭部を収容する空間がカバープレートの円形の囲い板表面とベースプレートの環状の床板との間になお存在する。
【００１９】
ベースプレートのカラーはその上に形成された雌ネジ山を含み、カバープレートの環はその上に形成された雄ネジ山を含む。従って、カバープレートは、カバープレートの螺合可能な取り付けおよび環のネジ山とカラーのネジ山との係合を生じさせるための回転によってベースプレートに取り付け可能である。このように、本発明の一実施形態によれば、カバープレートは枠ネジおよび取り付けネジの全てを覆うことができ、かつロックセットのために綺麗な外部仕上げのままにする。
【００２０】
カバープレートの円形の平坦な囲い板表面の中心は、そこを通ってシャフトが延在し、かつハンドルのレバーまたは他の使用者係合部分を支持する穴をその中に有する。ハンドルは、ハンドルが出入口の中に延在しない（または出入口の中に僅かにのみ延在する）ほどに十分に環の中に埋め込まれている。使用者の指は、環内のこの凹部の中に到達してハンドルを把持してハンドルを回転させて、バーンドアを施錠または開錠するためのボルトの平行移動を引き起こすことができる。図示されている実施形態のハンドルは、その中心においてシャフトに固定されたベーシックなバーハンドルである。先行技術において公知である他の形態のハンドルも適当な使用者係合部分と共に使用することができる。ハンドルは典型的には回転してボルトの平行移動を引き起こすが、ボルトの平行移動を引き起こす摺動ハンドルまたはそれ以外の平行移動ハンドルであってもよい。
【図面の簡単な説明】
【００２１】
【図１】バーンドア（２つのバーンドア位置決め選択肢を示すために１つは左から摺動し、１つは右から摺動する）の頭部がそこに隣接して装着されている状態でその中に出入口を有する壁の斜視図であり、バーンドアの前縁または後縁を施錠するための本発明に係るプライバシードアロックがそれと共に図示されている。
【図２】出入口の内部から見た図１に示されているものの斜視図であり、本発明の一実施形態に係る埋め込み式ハンドルを有するプライバシードアロックを示す。
【図３】ドアが分解された状態の出入口の内部から見た図１に示されているものの斜視図であり、本発明の一実施形態に係る身体障害者がアクセス可能なハンドルと共にプライバシードアロックを示す。
【図４】カバープレートおよびハンドルがそのベースプレートから分解された状態の第１の実施形態に係る本発明のロックセットの斜視図であり、その受座がバーンドアの中に装着された状態でロックセットおよび受座がどのように出入口通路の縦枠の１つの面の中に位置決めされるかを示す。
【図５】図４のロックセットおよび受座の正面図である。
【図６】出入口の縦枠およびバーンドアの中に装着された状態であって、バーンドアが縦枠から分解された状態で示されている、図４のロックセットおよび受座の上部平面図である。
【図７】図５に示されているものの背面斜視図である。
【図８】図５に示されているものの部分分解前面斜視図である。
【図９】出入口の縦枠およびバーンドア内に装着された状態であって、ロックセットのボルトがその展開位置まで平行移動されてバーンドアを施錠するときの内部の詳細を示すために出入口の縦枠、バーンドアおよびロックセットの一部が切り取られた状態の第２の実施形態に係る本発明のロックセットおよび受座の正面断面図である。
【図１０】ロックセットの両方がバーンドアを開錠するその後退位置に示されること以外は図９に示されている図と同様である正面断面図である。
【図１１】付随する受座および非常時解除鍵と共に示されている、図９のロックセットの組み立て斜視図である。
【図１２】図１１に示されている身体障害者がアクセス可能なハンドルと置き換えるための埋め込み式ハンドルを有する別のカバープレートの斜視図である。
【図１３】図１１に示されている図の部分分解斜視図である。
【図１４】図１３に示されているロックのロックケースの一部の部分分解斜視図である。
【図１５】ボルトがその後退位置からその展開位置に少なくとも部分的に伸長された状態で示されている図９に示されているものの正面図である。
【図１６】図９の実施形態に係る受座の斜視図である。
【図１７】図１６に示されているものの部分分解斜視図である。
【発明を実施するための形態】
【００２２】
図面を参照すると、様々な図面を通して同様の符号は同様の部分を表しており、符号１０、１１０は、壁Ｗを貫通する出入口通路Ｐに隣接する縦枠Ｊの中に装着することができるロックセット（図１〜図３）に関し、出入口通路Ｐの閉鎖のためのバーンドアＤは、バーンドアＤを選択的に施錠するためのボルト７０、１７０を受け入れるための受座８０、１８０をその中に有する。ロック１０、１１０は、そのハンドル４０、１４０、２４０が縦枠Ｊの面Ｆからアクセス可能であるように装着されるように構成されている。
【００２３】
本質的に、特に図７および図８を参照すると、第１の実施形態に係るロックセット１０の基本的な詳細が記載されている。ロックセット１０は、ボルト７０を後退位置と展開位置との間でロックケース５０の本体６０に対して（矢印Ｂに沿って）平行移動させることができるようにボルト７０を支持するロックケース５０を備える。ロックケース５０は、バーンドアＤによって選択的に開放／閉鎖される出入口通路Ｐに隣接する縦枠Ｊの面Ｆの中に装着されている（図１〜図３、図４および図６）。ロックケース５０は、ボルト７０が縦枠Ｊの外部Ｅを通ってそこから離れて平行移動するように方向づけられている。
【００２４】
ハンドル４０はロックケース５０に結合されているため、ハンドル４０が回転などによって（図７および図８の矢印Ａに沿って）作動されるときに、ロックケース５０はボルト７０を平行移動させる。本実施形態では、ベースプレート２０およびカバープレート３０は、縦枠Ｊの面Ｆの中に装着され、所望であれば（および好ましくはハンドルアセンブリおよびロックケース５０を装着するために使用されるネジを隠すために）、ハンドル４０を支持し、かつロックケース５０を縦枠Ｊの内部の中に正確に固定する。
【００２５】
受座８０も好ましくはロックセット１０と共に使用するための本発明のシステムの一部として設けられていてもよい。受座８０は少なくとも、ボルト７０がその展開向きに移動したときに受座８０の中に伸長するように、適当な位置にバーンドアＤの中まで通る穴を提供する。受座８０は最も好ましくは、バーンドアＤを全体的に貫通しており、そこを通して鍵２００または他の構造体を配置してボルト７０をその展開向きから離れるように受座８０の外に押し戻すことができる外側進入口を備え、それにより出入口通路Ｐ内のバーンドアＤからの非常時アクセスを得ることができる。
【００２６】
より具体的には、特に図１〜図８を参照すると、この第１の実施形態に係るロックセット１０および関連するプライバシーロックシステムの特定の詳細が記載されている。本実施形態では、ベースプレート２０およびカバープレート３０は互いに別個に設けられている。但し、ベースプレート２０およびカバープレート３０の特徴のいくつかまたは全てを併合した単一のプレートを設け得ることも考えられる。ベースプレート２０またはカバープレート３０を全く必要とすることなく、ロックケース５０を縦枠Ｊ内の適所に保持し得ることも考えられる。この好ましい実施形態では、ベースプレート２０は、縦枠Ｊの中に形成された凹部の中であって面Ｆ内の所望の位置にロックケース５０およびロックセット１０の他の部分を固定するように機能する。カバープレート３０はベースプレート２０に結合し、ハンドル４０を取り囲む綺麗な外側外観を提供する。
【００２７】
ベースプレート２０は好ましくは一体式の剛構造体であり、典型的には機械加工可能な金属で形成されているが、考えられる限りでは鋳造または射出成形により形成可能であり（プラスチックなどから）、あるいは、成形もしくは機械加工またはそれ以外の方法のいずれかで木材、金属または他の材料で形成されている。ベースプレート２０は、好ましくは面Ｆに隣接し、かつロックケースの最も長い寸法と平行な縦枠Ｊの平面に存在するフランジ２２を含む。フランジ２２は好ましくは、フランジ２２内の穴を通り抜け、かつ次いでロックセット１０が配置される凹部に隣接する縦枠Ｊの面Ｆの材料の中に埋め込まれる枠ネジ２３を受け入れる穴を含む。
【００２８】
ベースプレート２０は、フランジ２２から床板２６まで内側に延在するカラー２４を含む。床板２６は好ましくは平らな形態であり、カラーに垂直なフランジ端部と平行である。取り付けネジ２５は床板２６の貫通孔を通り抜け、スタンドオフ２７またはロックケース５０の他の部分の中に螺合してベースプレート２０をロックケース５０に固定する。従って、ベースプレート２０は枠ネジ２３によって縦枠Ｊに対する位置に保持され、ベースプレート２０は取り付けネジ２５を介してロックケース５０をベースプレート２０に保持する。
【００２９】
好ましくは、取り付けネジが直接取り付け穴の中ではなくスタンドオフの中に螺合することができたり、スタンドオフが単に、螺合可能な取り付けのためにスタンドオフを通り抜け、かつロックケースの取り付け穴の中まで通るほどに十分に長い取り付けネジとの位置合わせ構造体として機能したりすることができるように、スタンドオフはこれらの取り付け穴に付随して設けられている。一実施形態では、スタンドオフは、スタンドオフのそれぞれのために中心円筒体および外側円筒体を有する２つの部分からなるスタンドオフである。中心円筒体はより小さい直径を有し、本体の中にプレス嵌めされており、本体から離れるようにベースプレートに向かって垂直に延在している。外側円筒体のスタンドオフ部分はベースプレートを本体と位置合わせするために、中心円筒体のスタンドオフ部分の上に嵌合する。次いで、取り付けネジはスタンドオフを通り抜けるかその中まで通り、ベースプレートをロックケースの本体に確実に螺合可能に取り付ける。図示されている実施形態では、スタンドオフは、本体に固定することによって、あるいは、ベースプレートの床板を通ってスタンドオフの中まで通る取り付けネジの動作によって本体に保持される雌ネジ山のある細長い円筒状構造体であるため、スタンドオフはボルトであるように構成されている。
【００３０】
穴２８が床板２６の中心に形成されており、それによりハンドル４０の一部は、ロックセット１０の作動およびその後退向きとその展開向きとの間でのボルト７０の移動のために、ベースプレート２０を通り抜けてロックケース５４内のロック機構と係合することができる。カラー２４は円筒状の環に成形された構造体であり、床板２６が好ましくはフランジ２２と平行な状態で床板２６がフランジ２２から離間される深さを画定する。カラー２４は本実施形態ではその上に雌ネジ山も含み、これにより別個の留め具を必要とすることなくカバープレート３０（以下に説明されている）をベースプレート２０に取り付けることができる。但し、カバープレート３０を他の手段によってベースプレート２０に取り付けることができたり、カバープレート３０を全体的に省略したりすることができる。
【００３１】
本実施形態では、カバープレート３０は、ベースプレート２０のフランジ２２に重なる環状肩部３２を含む。肩部３２内には環３４が円筒状に延在し、これは一般に肩部３２に垂直である。囲い板３６の表面は、囲い板３６が好ましくは肩部３２と平行な状態で、肩部３２に対向する環３４の内端に位置している。環３４の外面は好ましくは、カラー２４上の雌ネジ山に一致する雄ネジ山を含む。従って、環３０は、カバープレート３０がベースプレート２０に結合するように、カラー２４の中に螺合することができる。穴がカバープレート３０の囲い板３６の中心を貫通しており、これはベースプレート２０の穴２８と位置合わせされ、ロックケース５０内のロック機構との係合およびボルト７０の作動のためにハンドル４０の一部がカバープレート３０を通り抜けるのを容易にする。
【００３２】
本実施形態では、ハンドル４０は埋め込み式ハンドルであるように構成されている。他の実施形態では、この埋め込み式ハンドル４０は身体障害者がアクセス可能なハンドル１４０で置き換えられている（図１、図３、図１１および図１３）が、これはバーンドアＤによって選択的に覆われている壁Ｗの中の出入口通路Ｐの中に若干延在している（図１〜図３）。ハンドル４０は、ハンドル４０のための使用者係合部分の好ましい形態として機能するレバー４２を備える。このレバー４２はシャフト４４に固定されている。レバー４２は好ましくは直線状であり、細長く、かつシャフト４４がレバー４２の中間点に結合された状態でシャフト４４に対して垂直に方向づけられている。レバー４２は、肩部３２内のカバープレート３０の環３４内に少なくとも部分的に（好ましくは全体的に）埋め込まれているという点で十分に目立たない形状である。このように、人が縦枠Ｊの面Ｆを通り過ぎて出入口通路Ｐを通って歩いているときに、ハンドル４０に容易に引っ掛かるものは何もない。
【００３３】
シャフト４４は好ましくは直線状であり、回転軸の中心線に沿って延在している。シャフト４４は好ましくはその上に切子面４６を含み、これはハンドル４０のシャフト４４をロックケース５０内のロック機構と係合させるのを支援することができる。あるいは、シャフト４４はそれ以外の方法でロックケース５０内の構造体に取り付けることができる。この好ましい実施形態では、シャフトは、切子面４６を構成している４つの平坦な切子面のある側面により四角形の断面を有する。この好ましい実施形態のハンドル４０はシャフト４４を回転させる回転ハンドルとして示されているが、ハンドル４０を単に摺動する（例えば、バーンドアＤに向かうかそこから離れる）摺動ハンドルと置き換え得ることが考えられ、そのような摺動ハンドルは回転しないシャフトを有するが、それどころかシャフトは直線的に平行移動し（少なくとも若干）、そのような摺動ハンドルから最も遠いそのような平行移動するシャフトの部分はボルト７０と係合してボルト７０をその後退向きと展開向きとの間で移動させる。
【００３４】
特に図３〜図５を参照すると、この第１の実施形態に係るロックケース５０の詳細が記載されている。ロックケース５０はハンドル４０とボルト７０との間のロック機構として機能して、ハンドル４０の動作によりボルト７０をその後退向きとその展開向きとの間で移動させる。ハンドル４０のシャフト４４は細長いボルト７０に平行ではないため、ロックケース５０は、角度（典型的には９０°）に関してハンドル４０とボルト７０との間で動作を伝達する必要がある。
【００３５】
ロックケース５０は、ハンドル４０のシャフト４４の回転運動（図５、図７および図８の矢印Ａ）をボルト７０の平行移動する直線運動（図５〜図８の矢印Ｂ）に変換させるための様々な内部構成のいずれかを有することができる。そのようなロックケース５０の特定の一実施形態が、第２の実施形態である代わりのロックセット１１０（図９〜図１７）に関して以下に詳細に開示されている。この第１の実施形態に係る回転シャフト４４の運動を平行移動するボルト７０の運動に伝達するためのロック機構（図１〜図８）は、シャフト４４の遠位端に平歯車を含むことができ、かつボルト７０の近位端にラックギヤを含むことができる。平歯車およびラックギヤは互いに噛み合うため、シャフト４４が回転する（矢印Ａの周り）ときに、平歯車も回転してラックギヤの平行移動を引き起こし、次いでこれがボルト７０を平行移動（矢印Ｂに沿って）させる。他のロック機構は、以下に詳細に記載されている第２の実施形態（図９〜図１７）のものと同様であってもよい。
【００３６】
ボルト７０は硬質材料（典型的には鋼）からなる剛構造体であり、これはハンドル４０によって作動されるロックケース５０内のロック機構の動作によって、展開向きから後退向きおよびその逆にも直線的に平行移動させられる。ボルト７０はボルト７０の端部にあるねじ穴の中に螺合するネジ山のあるポスト７４を有する任意の延長部７２を含むことができる（またはその逆も同様である）。そのような延長部７２は、縦枠Ｊの外部Ｅまでより大きな距離を有するより厚い縦枠Ｊに対応するために必要に応じて追加することができる。同様に、ボルト７０上の延長部７２は、バーンドアＤと壁Ｗとの間に典型的な間隙よりも大きい間隙が存在する場合に設けることができる。延長部を回転させて調整可能なボルト長さを設けることもできる。ボルト７０は様々な異なる断面形状のいずれかを有することができる。本実施形態では、ボルトは円形の断面およびその長さに沿って一定の断面を有する円筒状の形態を有して示されている。ボルト７０のためのそのような輪郭により、それは受座８０内の円筒状の中心ボアの中まで容易に通ることができる。
【００３７】
受座８０は、本発明の最も単純な形態では単にバーンドアＤに形成された穴であってもよい。最も典型的には、この穴は円筒状であり、この穴とボルト７０との位置合わせに対応することができるようにボルト７０のサイズと同様であるが、典型的には僅かにより大きい円形の断面を有する。最も好ましくは、受座８０はボルト７０のためにこの穴を提供する硬化構造体として設けられている。受座８０は少なくともバーンドアＤの内部の中に延在するボアである。最も好ましくは、このボアはバーンドアＤを全体的に貫通してバーンドアＤの外側まで及んでいるため、このボアは貫通ボアの形態である。この受座８０のための最も好ましい実施形態では、外側スリーブ８２および内側スリーブ８４が設けられており、これらは互いに螺合可能に結合し、かつスリーブ８２、８３が互いに取り付けられるときにバーンドアＤを貫通するこの貫通ボアを画定する。スリーブ８２、８４上のリップ８３、８５は、スリーブ８２、８４が互いに完全に螺合された後にバーンドアＤの外側Ｏおよび内側Ｉに隣接する終端部として機能する。一実施形態では、これらのスリーブ８２、８４は実質的に一定の円形の断面を有するが、リップ８３、８５の近く、特に内側スリーブ８４のリップ８５に隣接する場所で僅かに先細りにすることができる。そのような先細りにより、リップ８５においてドアの直径を僅かにより大きくすることができ、特に受座８０が僅かにボルト７０と位置合わせされていない場合に、ボルト７０を受座８０と位置合わせするのを助ける。一実施形態では、貫通ボアは非円形断面であるが、それは幅よりも高さが大きいため、ボルト７０に対して正確な垂直の位置決めを必要とすることなく受座８０をより容易に配置することができるが、受座８０の中に伸長するその展開向き（例えば図１〜図４の矢印Ｃに沿ったドア開放運動に抵抗するため）においてボルト７０に対してなお厳重なロックを提供する。
【００３８】
特に図９〜図１７を参照すると、本発明の第２の実施形態に係る別のロックセット１１０の詳細が記載されている。別のロックセット１１０は、本明細書に具体的に明瞭に記載されているところ以外は上記のロックセット１０と同様である。また、ロックセット１１０は、バーンドアＤによって（矢印Ｃに沿った運動／摺動によって（図１〜図３））選択的に開放／閉鎖される壁Ｗにおける出入口通路Ｐの縦枠Ｊの面Ｆ内の同様の位置に装着されるプライバシードアロックとして機能する。
【００３９】
バーンドアＤは様々な異なる方法で支持することができるが、最も典型的には、ハンガーＨ（図１〜図３）は、バーンドアＤがこれらのハンガーＨから懸垂された状態で、出入口通路Ｐの上にあるレールＲに乗っている。一連のトラックＴ（または連続的なトラック）が床の上に配置されており、好ましい実施形態では、これはバーンドアＤの下面にある溝Ｇの中に乗っているため、バーンドアＤは壁Ｗと平行なままである。バーンドアＤは出入口通路Ｐの外部に対して左または右のいずれかに開放することができる（図１では両方の選択肢が一緒に参照されるが、典型的には１つのみまたは他のバーンドアＤが提供され、レールＲはそれに応じて短くなる）。
【００４０】
典型的にはバーンドアＤは、プライバシーが望まれる部屋の外部であって、ハンドル１４０（ロックセット１１０に付随するプライバシーロックのためのもの）が位置している場所の外側にある。典型的には、ベーシックな引手がバーンドアＤ（内側Ｉ、外側Ｏまたは両方に）に取り付けられているため、バーンドアＤを最も容易にレールＲ上を（図１〜図４の矢印Ｃに沿って）摺動させることができる。ロックセット１１０は、（セキュリティが望まれる部屋の外側から出入口通路Ｐを見て）左または右の縦枠Ｊのいずれかの上に設けることができ、ロックセット１１０は、ロックセット１１０が左の縦枠Ｊまたは右の縦枠Ｊの中のどちらに装着されているかに応じてバーンドアＤの前縁または後縁のいずれかに隣接するバーンドアＤ内の受座８０に係合することができる。
【００４１】
ロックケース１５０を縦枠Ｊの面Ｆ内の凹部の中に支持するブラケット１２０（図９〜図１１、図１３および図１４）が（ベースプレート２０の代わりに）設けられている。ブラケット１２０は好ましくは、枠穴１２４を通り抜けてブラケット１２０をこの凹部内の適所に固定する枠ネジ１２１を含む。ブラケット１２０は好ましくは凹部（例えば、円形／円筒状）の形状に一致する周囲形状を有する前壁１２２および後壁１２３を含むため、ブラケット１２０は適所にしっかりとさらに保持される。最も好ましくは、これらの壁１２２、２３は円形の形態であるため、凹部は、縦枠Ｊの面Ｆ内に、使用者によってロックセット１１０にアクセスすることができる円形の穴を開けることによって形成することができる。
【００４２】
取り付けボアは、同様に環状カバープレート１３０内の取り付け穴１３２を通り抜けて環状カバープレート１３０をブラケット１２０に確実に取り付けるのを可能にする取り付けネジ１２５を受け入れる。スロット１２６がブラケット１２０の前壁１２２と後壁１２３との間に設けられている。このスロット１２６は、前壁１２２および後壁１２３の表面にほぼ垂直な横方向に延在するロックケース１５０をその中に受け入れるようにサイズ決めされているため、ロックケース１５０をブラケット１２０に対して確実に保持することができる。ブラケット１２０は、縦枠Ｊの面Ｆを通り抜けることによって典型的には縦枠Ｊ内の凹部の中に配置されるが、ロックケース１５０は、面Ｆにほぼ平行に延在する方向に縦枠Ｊの外部Ｅを通って延在し（図１、図４および図６）、かつブラケット１２０のスロット１２６の中に挿入される。ウェブ１２７は、ブラケット１２０が単一の剛構造体になるように、スロット１２６を跨って前壁１２２を後壁１２３に結合する。穴１２８は前壁１２２を貫通しており、ブラケット１２０の前壁１２２を通り抜け、かつシャフト１４４がロックケース１５０内のロック機構にアクセスすることができるスロット１２６内の位置まで通るハンドル１４０のシャフト１４４を収容する。
【００４３】
環状カバープレート１３０は多くの点でカバープレート３０と同様であり、そこを貫通するネジ穴１３２は、取り付けネジ１２５がネジ穴１３２を通り抜け、次いでブラケット１２０のための取り付けネジ１２５の中まで通すのを可能にする。取り付けネジ１２５を締め付けて、カバープレート１３０をブラケット１２０に取り外し可能に固定することができる。カバープレート１３０は好ましくは実質的に平坦であり、身体障害者がアクセス可能なハンドル１４０を容易にする（あるいは、代替法としてレバー２４２を備えたハンドル４０（図４〜図８）と同様に埋め込み式ハンドル２４０（図１２）を設けることができる）。ハンドル１４０は外側ハブ１４３から延在するレバー１４２を備える。シャフト１４４は、ハンドル１４０が（図９および図１５の矢印Ａに沿って）回転するときに、ボルト１７０をロックケース１５０に対して平行移動（図９および図１５の矢印Ｂ）させるように、ロック機構の係合のためにハブ１４３にあるレバー１４２から離れてロックケース１５０の中まで通るのに十分なほどに垂直に延在している。
【００４４】
ロックケース１５０は好ましくは、その中にロックケース１５０の少なくとも一部を含む本体１６０を含む。ロックセット１１０のボルト１７０の一部は、好ましくはロックケース１５０の一部も形成するバレルコア１５２およびバレルカバー１５３内に含まれている。本体１６０は、ロックケース１５０の内部の中まで通るハンドル１４０のシャフト１４５を受け入れることができるポート１６２を含む。本体１６０の両側にある一対のハウジングプレート１６４は、ポート１６０がハウジングプレート１６４の中まで通る（またはそれを貫通する）状態でロック機構をロックケース１５０内に封入する。
【００４５】
ロックケース１５０のロック機構のこの特定の実施形態では、ハブ１６５は、本体１６０内であって、ハンドル１４０のシャフト１４４を受け入れることができるそこを貫通している（またはただその中まで通っている）ボア１６６を有するポート１６２に隣接して位置している。このボア１６６は、ハンドル１４０が回転すると、ハブ１６５がシャフト１４４およびハンドル１４０と共に（矢印Ａに沿って）回転させられるようにシャフト１４４上の切子面に対応する切子面を有する。
【００４６】
ハブ１６５は好ましくは、その外側部分にカム表面１６７を有する。このカム表面１６７はハブ１６５に隣接する板バネ１６９と相互作用するため、カム表面１６７上の突起部がバネ１６９を通るときに、ハブ１６５の回転に対する若干の抵抗に遭遇し、かつカム表面１６７の低い部分がバネ１６９に隣接しているときには、ハブ１６５の回転に対して僅かな抵抗に遭遇するか全く遭遇しない。
【００４７】
さらに、ハブ１６５はそこから半径方向に延在する指部１６８を含む。指部１６８はボルト１７０に結合されているアーム１７４内のポケット１７８を貫通している。ハブ１６５が回転するときに、このポケット１７８内に存在する指部１６８も回転し（矢印Ａ）、アーム１７４を平行移動させ（矢印Ｂ）、かつボルト１７０をボルト１７０の中心軸に沿って直線的に平行移動させる。ボルト１７０の近位先端１７２は好ましくはサイズが小さく、アーム１７４の遠位端にある座部１７５内にある。止めネジ１７６はボルト１７０の近位先端１７２をアーム１７４に結合する。ボルト１７０の移動距離が所望の量になるように、異なる長さを有するボルト１７０を選択することができる。代わりまたは追加として、組み合わせたバレルコア１５２およびバレルカバー１５３の長さを変更し、かつさらにボルト１７０の位置の調整を可能にするために、バレルコア１５２およびバレルカバー１５３を様々な異なる位置および量で螺合可能に互いに取り付けることができる。バレルカバー１５３上の環状フランジは典型的には縦枠Ｊの外部Ｅに接触して存在し、所望であれば正確かつ強固にロックケース１５０および付随するボルト１７０を確実に保持するのを助ける。
【００４８】
最も好ましくは本実施形態では、受座アセンブリ１８０は、ボルト１７０がその展開向きにあるときにそれを受け入れるためにバーンドアＤの中に設けられている。受座アセンブリ１８０は、バーンドアＤの内側Ｉに隣接して（またはスペーサ１９７によって離間されて）その内側部分に環状フレア１８３を有する中空の円筒体１８２を含む。外側キャップ１８４は好ましくは、（中間構造体を介して）円筒体１８２に結合しており、バーンドアＤの外側Ｏに隣接している。シャフト１８５は好ましくは、外側キャップ１８４の内部にあるネジ山と協働して頭部１８７をキャップに保持するシャフト１８５の頭部１８７またはナット１９６のネジ山を介して外側キャップ１８４に螺合可能に結合する。ベース１９４がシャフト１８５に隣接し、かつダストキャップ１９２がロックケース１５０のバレルコア１５２およびバレルカバー１５３に隣接した状態で、バネ１９０がダストキャップ１９２とベース１９４（そのカラー付きの中心穴にシャフト１８５が螺合可能に結合する）との間に挿入されている。バネ１９０は、ダストキャップ１９２によって円筒体１８２を受座アセンブリ１８０内で閉鎖させる。但し、ボルト１７０がダストキャップ１９２に突き当たったときに、バネ１９０は圧縮され、ボルト１７０は円筒体１８２の中に通ることを許される。ドアＤが摺動によって（矢印Ｃに沿って）開放された後の出入口通路Ｐからの非常時アクセスなどのために、鍵２００または他の細長い構造が外側キャップ１８４を通ってシャフト１８５の中まで移動し、かつボルト１８５の中心穴を貫通してダストキャップ１９２に当接してボルト１７０をその展開向きからその後退向きに向かって押し戻すことができる。
【００４９】
本開示は、本発明の好ましい実施形態および本発明を実施するための最良の形態を明らかにするために提供されている。従って、本発明について以上のとおり説明してきたが、本発明の開示の範囲および趣旨から逸脱することなく好ましい実施形態に対して様々な異なる修正が可能であることを明らかにすべきである。構造体が機能を実施するための手段として特定されているときには、その特定は明記されている機能を行うことができる全ての構造体を含むことを意図している。本発明の構造体が互いに結合されているものとして特定されているときには、そのような言葉は、互いに直接結合されている構造体または介在する構造体を介して互いに結合されている構造体を含むように広く解釈されるべきである。そのような結合は、具体的に限定されていない限り、なおいくつかの取り付けの形態を提供しながらも強固な方法あるいは回動、摺動または他の相対的運動を可能にする方法のいずれかで、恒久的であっても一時的であってもよい。
【産業上の利用可能性】
【００５０】
本発明は、バーンドアのためのプライバシーロックを提供するという点で産業上の利用可能性を示す。
【００５１】
本発明の別の目的は、プライバシーロックを備える出入口通路のためのバーンドアを提供することにある。
【００５２】
本発明の別の目的は、バーンドアを施錠するための方法を提供することにある。
【００５３】
本発明の別の目的は、施錠されたバーンドアからの非常時アクセスを提供するための方法を提供することにある。
【００５４】
本発明の別の目的は、ロックセットをバーンドアの中に設置するための方法を提供することにある。
【００５５】
本発明の別の目的は、非常時にその外側から無効にすることができるバーンドアロックを提供することにある。
【００５６】
本発明の別の目的は、身体障害のある個人によって使用することができるバーンドアロックを提供することにある。
【００５７】
本発明の別の目的は、出入口の重要な妨害を防ぐために埋め込み式ハンドルを有するバーンドアのためのプライバシーロックを提供することにある。
【００５８】
本発明の別の目的は、使用が容易であり、かつ留め具が見えない外観などの望ましい審美的外観を有するバーンドアのためのプライバシーロックを提供することにある。
【００５９】
その産業上の利用可能性を実証する本発明の他のさらなる目的は、含められている詳細な説明を注意深く読み、添付の図面を再考し、かつ本明細書に含められている特許請求の範囲を再考することにより明らかになるであろう。
【図１】
2019533107.tif 000003
【図２】
2019533107.tif 000004
【図３】
2019533107.tif 000005
【図４】
2019533107.tif 000006
【図５】
2019533107.tif 000007
【図６】
2019533107.tif 000008
【図７】
2019533107.tif 000009
【図８】
2019533107.tif 000010
【図９】
2019533107.tif 000011
【図１０】
2019533107.tif 000012
【図１１】
2019533107.tif 000013
【図１２】
2019533107.tif 000014
【図１３】
2019533107.tif 000015
【図１４】
2019533107.tif 000016
【図１５】
2019533107.tif 000017
【図１６】
2019533107.tif 000018
【図１７】
2019533107.tif 000019
【国際調査報告】
2019533107.tif 000020